(57)【特許請求の範囲】
【請求項１】
与干渉セルを決定し、かつ該与干渉セルのＰＣＩおよびアンテナポートの数を取得するステップ；
前記与干渉セルのＰＣＩおよびアンテナポートの数に従って、ユーザ装置ＵＥが、与干渉セルのＣＲＳの位置を取得できるように、干渉制御メッセージを前記ＵＥに送信するステップであって、該干渉制御メッセージは前記与干渉セルのＰＣＩおよびアンテナポートの数を含む、ステップ；および
前記ＣＲＳの位置の情報に従って、干渉制御を実行するステップ；
を備える干渉制御方法であって、
前記与干渉セルを決定するステップは：
前記ユーザ装置ＵＥの送信する測定報告を受信するステップであって、前記測定報告は、サービングセルのＲＳＲＰ値および隣接セルのＲＳＲＰ値を含む、ステップ、および前記サービングセルの前記ＲＳＲＰ値よりもＲＳＲＰ値が大きい一つ以上の隣接セルを前記与干渉セルと決定するステップ、を備える、
干渉制御方法。
【請求項２】
前記サービングセルの前記ＲＳＲＰ値よりもＲＳＲＰ値が大きい１つ以上の隣接セルを前記与干渉セルとして決定する前記ステップは：隣接セルであって、該隣接セルのＲＳＲＰ値と前記サービングセルの前記ＲＳＲＰ値との間の差が第２の閾値である、隣接セルを前記与干渉セルとして決定するステップを備える
請求項１記載の方法。
【請求項３】
基地局に測定報告を送信するステップであって、該測定報告は、前記基地局がサービングセルのＲＳＲＰ値よりもＲＳＲＰ値が大きい１つ以上の隣接セルを与干渉セルとして決定できるように、前記サービングセルの前記ＲＳＲＰ値および隣接セルのＲＳＲＰ値を含み、かつ前記基地局は、前記与干渉セルのＰＣＩおよびアンテナポートの数を取得する、ステップ；
前記基地局の送信する干渉制御メッセージを受信するステップであって、前記干渉制御メッセージは、前記与干渉セルのＰＣＩおよびアンテナポートの数を含む、ステップ；
前記与干渉セルのＰＣＩおよびアンテナポートの数に従って、前記与干渉セルのＣＲＳの位置を取得するステップ；および
該ＣＲＳの位置の情報に従って、干渉制御を実行するステップ
を備える干渉制御方法。
【請求項４】
前記基地局が、前記サービングセルの前記ＲＳＲＰ値よりもＲＳＲＰ値が大きい１つ以上の隣接セルを与干渉セルとして決定できるように、前記基地局に測定報告を送信する前記ステップは、隣接セルであって、該隣接セルのＲＳＲＰ値と前記サービングセルのＲＳＲＰ値との間の差が第２の閾値である、隣接セルを前記与干渉セルとして決定するステップを含む
請求項３記載の方法。
【請求項５】
与干渉セルを決定し、かつ該与干渉セルのＰＣＩおよびアンテナポートの数を取得するように構成される決定部；および
前記与干渉セルのＰＣＩおよびアンテナポートの数に従って、ユーザ装置ＵＥが前記与干渉セルのＣＲＳの位置を取得できるように、前記与干渉セルのＰＣＩおよびアンテナポートの数を含む干渉制御メッセージを前記ＵＥに送信し、かつ前記ＣＲＳの位置に従って、干渉制御を実行するように構成される送信部
を備える基地局であって、
前記決定部は、前記ユーザ装置ＵＥの送信する、サービングセルのＲＳＲＰ値および隣接セルのＲＳＲＰ値を含む測定報告を受信するように構成され、かつ前記サービングセルのＲＳＲＰ値よりもＲＳＲＰ値が大きい１つ以上の隣接セルを前記与干渉セルと決定し、かつ前記与干渉セルのＰＣＩおよびアンテナポートの数を取得するように構成される、
基地局。
【請求項６】
前記決定部は、隣接セルであって、該隣接セルのＲＳＲＰ値と前記サービングセルのＲＳＲＰ値との間の差が第２の閾値である、隣接セルを前記与干渉セルとして決定するように構成される、
請求項５記載の基地局。
【請求項７】
測定報告であって、基地局がサービングセルのＲＳＲＰ値よりもＲＳＲＰ値が大きい１つ以上の隣接セルを与干渉セルとして決定し、かつ前記基地局が前記与干渉セルのＰＣＩおよびアンテナポートの数を取得できるように、前記サービングセルのＲＳＲＰ値および前記隣接セルのＲＳＲＰ値を含む、測定報告を基地局に送信するように構成される送信部；
前記基地局の送信する干渉制御メッセージであって、前記与干渉セルのＰＣＩおよびアンテナポートの数を含む、干渉制御メッセージを受信するように構成される受信部；
前記与干渉セルのＰＣＩおよびアンテナポートの数に従って、前記与干渉セルのＣＲＳの位置を取得するように構成されるＣＲＳ位置取得部；および
前記ＣＲＳの位置の情報に従って、干渉制御を実行するように構成される干渉制御部
を備えるユーザ装置。
【請求項８】
前記基地局が、隣接セルであって、該隣接セルのＲＳＲＰ値と前記サービングセルのＲＳＲＰ値との間の差が第２の閾値である、隣接セルを前記与干渉セルとして決定できるように、前記送信部は、前記測定報告を前記基地局に送信するように構成される、
請求項７に記載のユーザ装置。
【請求項９】
コンピュータプログラムコードであって、コンピュータプロセッサが実行した場合、該コンピュータプロセッサに請求項１から２のいずれか１つに記載のステップを実行させる、コンピュータプログラムコードを含む、コンピュータ可読記憶媒体。
【請求項１０】
コンピュータプログラムコードであって、コンピュータプロセッサが実行した場合、前記コンピュータプロセッサに請求項３から４のいずれか１項に記載の前記ステップを実行させる、コンピュータプログラムコードを含む、コンピュータ可読記憶媒体。
【発明の詳細な説明】
【技術分野】
【０００１】
本発明の実施例は、無線通信の分野に関連し、特に無線通信システムにおける干渉制御方法および装置に関連する。
【背景技術】
【０００２】
無線通信システムは、音声やデータといった無線サービスを提供することができる。一般に、無線通信システムは、多重アクセスシステムの無線システムである。無線通信システムにおいて、基地局は、下りリンクで、データおよび／または制御情報をユーザ装置に送信し、そして上りリンクで、データおよび／または制御情報をユーザ装置から受信する。同様に、ユーザ装置は、上りリンクで、基地局へのデータおよび／または制御情報を送信し、下りリンクで、基地局の送信するデータおよび／または制御情報を受信する。以下、ロングタームエボルーション（Ｌｏｎｇ  Ｔｅｒｍ  Ｅｖｏｌｕｔｉｏｎ、  ＬＴＥと略す）および／またはロングタームエボルーションアドバンスト（Ｌｏｎｇ  Ｔｅｒｍ  Ｅｖｏｌｕｔｉｏｎ  Ａｄｖａｎｃｅｄ、ＬＴＥ−Ａと略す）を、本発明の技術背景を説明するための例とみなす。
【０００３】
ＬＴＥ−Ａの性能要件を満足するため、或いは改善するため、同種ネットワーク（ｈｏｍｏｇｅｎｅｏｕｓ  ｎｅｔｗｏｒｋ）において、異なる種類または異なる規格の基地局（基地局または送信電力の低い送信／受信ノード等）が利用可能とされ、ネットワークのカバレッジ及び性能が向上している。そして、そのようなネットワーク構造は、異種ネットワーク（ｈｅｔｅｒｏｇｅｎｅｏｕｓ  ｎｅｔｗｏｒｋ）と呼ばれる。以下、異種ネットワークにおいて、マクロ基地局などの送信出力の高い基地局、および当該マクロ基地局（ＭｅＮＢ）と同じ規格を採用するが、異なる種類である送信電力の低い基地局（略して低出力ノード、ｌｏｗ  ｐｏｗｅｒ  ｎｏｄｅ、  ＬＰＮ）が利用可能とされる状況を、本発明の技術背景をさらに説明するための例とみなす。
【０００４】
システムのスペクトル利用効率を向上するために、ＬＰＮに設定可能な上りリンクおよび／または下りリンクの周波数域リソースおよびＭｅＮＢに設定可能な上りリンクおよび／または下りリンクの周波数リソースに対して、周波数域多重化（ｓｐｅｃｔｒｕｍ  ｍｕｌｔｉｐｌｅｘｉｎｇ）を全面的に、または部分的に実行してもよい。この時、ＬＰＮには、ＭｅＮＢと同じまたは部分的に同じ周波数域リソースが設定されるため、ＬＰＮ（またはＬＰＮに在圏するＵＥ）およびＭｅＮＢ（またはＭｅＮＢに在圏するＵＥ）の下りリンク（または上りリンク）チャネル伝送においてチャネル内（周波数内）干渉が生成される。この干渉は、ＬＰＮ及びＭｅＮＢの、下りリンクのチャネル伝送および上りリンクのチャネル検出（当該チャネルは、制御チャネルおよびデータチャネルを含む）の信頼性に影響を与える。
【０００５】
現在、ＬＴＥ−Ａの規格において、異種ネットワークシナリオにおけるセル間の干渉を処理するために、時分割多重（Ｔｉｍｅ  Ｄｉｖｉｓｉｏｎ  Ｍｕｌｔｉｐｌｅｘｉｎｇ、ＴＤＭと略す）セル間干渉コーディネーション（Ｉｎｔｅｒ  Ｃｅｌｌ  Ｉｎｔｅｒｆｅｒｅｎｃｅ  Ｃｏｏｒｄｉｎａｔｉｏｎ、ＩＣＩＣと略す）法が採用されている。与干渉基地局は、いくつかのサブフレームに低い送信電力を設定するか、或いはサービス伝送を行わない（すなわち、サービスの送信電力はゼロとなる）ことを設定する。当該サブフレームは、略ブランクサブフレーム（Ａｌｍｏｓｔ  Ｂｌａｎｋ  Ｓｕｂｆｒａｍｅ、ＡＢＳと略す）と呼ばれてもよい。被干渉基地局は、当該与干渉基地局が設定するＡＢＳに対応するサブフレームでサービス伝送を実行するように、与干渉基地による干渉を強く受けるＵＥをスケジュールする。これにより、被干渉基地局の被干渉ＵＥ（ｖｉｃｔｉｍ  ＵＥ）の伝送性能が確保される。しかしながら、ＡＢＳサブフレームは、後方互換性のため、セル参照信号（Ｃｅｌｌ  Ｒｅｆｅｒｅｎｃｅ  Ｓｉｇｎａｌｉｎｇ、ＣＲＳと略す）および同期信号やシステムメッセージといったその他の必要な制御情報を送信する。セル端が強く干渉を受ける状況において、隣接セルのＡＢＳサブフレームのＣＲＳは、被干渉セル内のＵＥによる、物理下りリンク制御チャネル（Ｐｈｙｓｉｃａｌ  Ｄｏｗｎｌｉｎｋ  Ｃｏｎｔｒｏｌ  Ｃｈａｎｎｅｌ、  ＰＤＣＣＨと略す）及び物理下りリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨと略す）の信号／データの復号化に対して大きな脅威を与える。従って、このような干渉の問題を解決する技術的解決手段が必要となる。
【発明の概要】
【発明が解決しようとする課題】
【０００６】
本発明の実施例の目的は、隣接セル干渉を低減可能な方法および装置を提供することである。
【課題を解決するための手段】
【０００７】
本発明の実施例によると、干渉制御方法が提供される。当該方法は：
隣接セル測定を実行し、測定した複数の隣接セルの中から、サービングセル（Ｓｅｒｖｉｎｇ  Ｃｅｌｌ）の信号送信強度よりも信号送信強度が大きい１つ以上の隣接セルを与干渉セルとして選択するステップ；
前記与干渉セルのアンテナポートの数を取得するために、前記与干渉セルの物理報知チャネルＰＢＣＨを解析するステップ；
前記与干渉セルの物理セル識別子ＰＣＩおよびアンテナポートの数に従って、前記与干渉セルのセル参照信号ＣＲＳの位置を取得するステップ；および
前記ＣＲＳの位置の情報に従って、干渉制御を実行するステップを備える。
【０００８】
本発明の実施例によると、干渉制御方法が提供される。当該方法は：
与干渉セルを決定し、該与干渉セルのＰＣＩおよびアンテナポートの数を取得するステップ；
前記与干渉セルのＰＣＩおよびアンテナポートの数に従って、ＵＥが前記与干渉セルのＣＲＳの位置を取得できるように、前記与干渉セルのＰＣＩおよびアンテナポートの数を含む干渉制御メッセージをＵＥに送信するステップ；および
前記ＣＲＳの位置の情報に従って、干渉制御を実行するステップを備える。
【０００９】
本発明の実施例によると、干渉制御方法が提供される。当該方法は：
基地局が前記サービングセルのＲＳＲＰ値よりも大きいＲＳＲＰ値の１つ以上の隣接セルを与干渉セルとして決定し、前記基地局が該与干渉セルのＰＣＩおよびアンテナポートの数を取得できるように、サービングセルのＲＳＲＰ値および隣接セルのＲＳＲＰ値を含む測定報告を基地局に送信するステップ；
前記基地局の送信する、前記与干渉セルのＰＣＩおよびアンテナポートの数を含む干渉制御メッセージを受信するステップ；
前記与干渉セルのＰＣＩおよびアンテナポートの数に従って、前記与干渉セルのＣＲＳ位置を取得するステップ；および
前記ＣＲＳの位置において取得した信号から、前記与干渉セルから受信した信号を減算するステップ、または前記ＣＲＳの位置において取得した信号を破棄するステップを備える。
【００１０】
本発明の実施例によると、干渉制御方法が提供される。当該干渉制御方法は、
隣接セル測定を実行し、測定した複数の隣接セルからサービングセルの信号送信強度よりも信号送信強度が大きい１つ以上の隣接セルを与干渉セルとして選択するステップ；
前記与干渉セルのアンテナポートの数を取得するために、前記与干渉セルのＰＣＩを運ぶ要求メッセージを基地局に送信するステップ；
前記要求メッセージに応答して、前記基地局の送信する、前記与干渉セルのＰＣＩおよび前記与干渉セルのアンテナポートの数を運ぶ応答メッセージを受信するステップ；
前記与干渉セルのＰＣＩおよび前記与干渉セルのアンテナポートの数に従って、前記与干渉セルのＣＲＳの位置を取得するステップ；および
前記ＣＲＳの位置において取得した信号から、前記与干渉セルから受信した信号を減算するステップ、または前記ＣＲＳの位置において取得した信号を破棄するステップを備える。
【００１１】
本発明の実施例によると、干渉制御方法が提供される。当該干渉制御方法は、
前記第２の基地局が、前記第１の基地局の前記サービングセルのＰＣＩおよびアンテナポートの数に従って、ＣＲＳの位置を取得し、かつ前記第２の基地局のサービングセルのＣＲＳの位置が前記第１の基地局のＣＲＳの位置と競合するか否かを判定し、および／または前記第１の基地局のＣＳＩ−ＲＳに従って、前記第２の基地局のＣＳＩ−ＲＳが前記第１の基地局のＣＳＩ−ＲＳと競合するか否かを判定できるように、第１の基地局が、Ｘ２設定要求メッセージを第２の基地局に送信するステップであって、前記Ｘ２設定要求メッセージは前記第１の基地局のサービングセルのＰＣＩおよびアンテナポートの数、および／または前記第１の基地局のＣＳＩ−ＲＳ情報を運ぶ、ステップ；および
ＣＲＳの位置の競合、および／またはＣＳＩ−ＲＳの競合が存在するという判定結果であった場合に、前記第１の基地局が、前記第１の基地局のＰＣＩを変更するステップ、および／または前記第１の基地局のＣＳＩ−ＲＳを変更するステップを備える。
【００１２】
本発明の実施例によると、干渉制御方法が提供される。当該方法は：
第２の基地局が、第１の基地局の送信するＸ２設定要求メッセージであって、該Ｘ２設定要求メッセージは、サービングセルのＰＣＩおよびアンテナポートの数を運び、および／または前記第１の基地局のＣＳＩ−ＲＳ情報を運ぶ、Ｘ２設定要求メッセージを受信するステップ；
前記第２の基地局が、前記第１の基地局のサービングセルのＰＣＩおよびアンテナポートの数に従って、前記第１の基地局のＣＲＳの位置を取得し、かつ前記第２の基地局のサービングセルのＣＲＳの位置が前記第１の基地局のＣＲＳの位置と競合するか否かを判定し、および／または前記第１の基地局のＣＳＩ−ＲＳに従って、前記第２の基地局のＣＳＩ−ＲＳが前記第１の基地局のＣＳＩ−ＲＳと競合するか否かを判定するステップ；および
ＣＲＳの位置の競合、および／またはＣＳＩ−ＲＳの競合が存在するという判定結果であった場合に、前記第２の基地局が、前記第２の基地局のサービングセルのＰＣＩを変更するステップ、および／または前記第２の基地局のＣＳＩ−ＲＳを変更するステップを備える。
【００１３】
本発明の実施例によると、ユーザ装置が提供される。当該ユーザ装置は：
隣接セル測定を実行し、測定した複数の隣接セルからサービングセルの信号送信強度よりも信号送信強度が大きい１つ以上の隣接セルを与干渉セルとして選択する測定部；
前記与干渉セルのアンテナポートの数を取得するために、前記与干渉セルの物理報知チャネルＰＢＣＨを解析する解析部；
前記与干渉セルの物理セル識別子ＰＣＩおよびアンテナポートの数に従って、前記与干渉セルのセル参照信号ＣＲＳの位置を取得するＣＲＳ位置取得部；および
前記ＣＲＳの位置において取得した信号から、前記与干渉セルから受信した信号を減算するか、または前記ＣＲＳの位置において取得した信号を破棄する干渉制御部を備える。
【００１４】
本発明の実施例によると、基地局が提供される。当該基地局は：
与干渉セルを決定し、該与干渉セルのＰＣＩおよびアンテナポートの数を取得する決定部；
前記与干渉セルのＰＣＩおよびアンテナポートの数に従って、ＵＥが前記与干渉セルのＣＲＳの位置を取得できるように、前記与干渉セルのＰＣＩおよびアンテナポートの数を含む干渉制御メッセージを前記ＵＥに送信する送信部；および
前記ＣＲＳの位置において取得した信号から、前記与干渉セルから受信した信号を減算する、または前記ＣＲＳの位置において取得した信号を破棄する干渉制御部を備える。
【００１５】
本発明の実施例によると、ユーザ装置が提供される。当該ユーザ装置は：
基地局が、サービングセルのＲＳＲＰ値よりもＲＳＲＰ値の大きい１つ以上の隣接セルを与干渉セルとして決定し、かつ前記基地局が前記与干渉セルのＰＣＩおよびアンテナポートの数を取得できるように、サービングセルのＲＳＲＰ値および隣接セルのＲＳＲＰ値を含む測定報告を基地局に送信する送信部；
前記基地局の送信する、前記与干渉セルのＰＣＩおよびアンテナポートの数を含む干渉制御メッセージを受信する受信部；
前記与干渉セルのＰＣＩおよびアンテナポートの数に従って、前記与干渉セルのＣＲＳの位置を取得するＣＲＳ位置取得部；および
前記ＣＲＳの位置において取得した信号から、前記与干渉セルから受信した信号を減算する、または前記ＣＲＳの位置において取得した信号を破棄する干渉制御部を備える。
【００１６】
本発明の実施例によると、ユーザ装置が提供される。当該ユーザ装置は：
隣接セル測定を実行し、測定した複数の隣接セルからサービングセルの信号送信強度よりも信号送信強度が大きい１つ以上の隣接セルを与干渉セルとして選択する測定部；
前記与干渉セルのアンテナポートの数を取得するために、前記与干渉セルのＰＣＩを運ぶ要求メッセージを基地局に送信する送信部；
前記要求メッセージに応答して、前記基地局の送信する応答メッセージであって、前記与干渉セルのＰＣＩおよび前記与干渉セルのアンテナポートの数を運ぶ、応答メッセージを受信する受信部；
前記与干渉セルのＰＣＩおよび前記与干渉セルのアンテナポートの数に従って、前記与干渉セルのセル参照信号ＣＲＳの位置を取得するＣＲＳ位置取得部；および
前記ＣＲＳの位置において取得した信号から、前記与干渉セルから受信した信号を減算する、または前記ＣＲＳの位置において取得した信号を破棄する干渉制御部を備える。
【００１７】
本発明の実施例によると、基地局が提供される。当該基地局は：
前記基地局のサービングセルのＰＣＩおよびアンテナポートの数に従って、前記第２の基地局が前記基地局のＣＲＳの位置を取得し、前記第２の基地局におけるサービングセルのＣＲＳの位置が前記基地局のＣＲＳの位置と競合するか否かを判定し、および／または前記基地局のＣＳＩ−ＲＳに従って、前記第２の基地局のＣＳＩ−ＲＳが前記基地局のＣＳＩ−ＲＳと競合するか否かを判定できるように、前記基地局のサービングセルのＰＣＩおよびアンテナポートの数を運ぶ、および／または前記基地局のＣＳＩ−ＲＳ情報を運ぶ、Ｘ２設定要求メッセージを第２の基地局に送信するＸ２要求部；および
ＣＲＳの位置の競合、および／またはＣＳＩ−ＲＳの競合が存在するという判定結果であった場合、前記基地局のサービングセルのＰＣＩを変更する、および／または前記基地局のＣＳＩ−ＲＳを変更する制御部を備える。
【００１８】
本発明の実施例によると、基地局が提供される。当該基地局は：
第１の基地局の送信する、該第１の基地局のサービングセルのＰＣＩおよびアンテナポートの数を運ぶ、および／または前記第１の基地局のＣＳＩ−ＲＳ情報を運ぶＸ２設定要求メッセージを受信する受信部；
前記第１の基地局のサービングセルのＰＣＩおよびアンテナポートの数に従って、前記第１の基地局のＣＲＳの位置を取得し、前記基地局におけるサービングセルのＣＲＳの位置が前記第１の基地局のＣＲＳの位置と競合するか否かを判定し、および／または前記第１の基地局のＣＳＩ−ＲＳに従って、前記基地局のＣＳＩ−ＲＳが前記第１の基地局のＣＳＩ−ＲＳと競合するか否かを判定する競合判定部；および
ＣＲＳの位置の競合、および／またはＣＳＩ−ＲＳの競合が存在するという判定結果であった場合、前記基地局のＰＣＩを変更する、および／または前記基地局のＣＳＩ−ＲＳを変更する制御部とを備える。
【００１９】
本発明の実施例によれば、サービングセルにおけるユーザ装置に対する隣接セルの信号の干渉は低減され、サービングセルにおけるユーザ装置の通信品質は向上し、そして、いくつかのホットスポットセルは、マクロセルに対して、より良好にサービス負荷を共有する。
【図面の簡単な説明】
【００２０】
本発明の実施例における技術的解決手段をより明瞭に示すために、実施例または従来技術を説明するため必要な添付図面を以下に簡単に紹介する。以下の記述における添付図面が本発明のいくつかの実施例を単に示すだけであることは明らかであり、当業者は、創造的努力なしで、これらの添付図面から、その他の追加の図面を導き出すことができるであろう。
【図１】本発明の実施例による干渉制御方法のフローチャートである。
【図２】本発明の別の実施例による干渉制御方法のフローチャートである。
【図３】本発明の別の実施例による干渉制御方法のフローチャートである。
【図４】本発明の別の実施例による干渉制御方法のフローチャートである。
【図５】本発明の実施例によるユーザ装置の概略構成図である。
【図６】本発明の追加の実施例によるユーザ装置の概略構成図である。
【図７】本発明の実施例による基地局の概略構成図である。
【図８】本発明の別の実施例によるユーザ装置の概略構成図である。
【図９】本発明の別の実施例によるユーザ装置の概略構成図である。
【図１０】本発明の別の実施例による基地局の概略構成図である。
【図１１】本発明の追加の実施例による基地局の概略構成図である。
【図１２】本発明の追加の実施例による基地局の概略構成図である。
【図１３】本発明の別の実施例による基地局の概略構成図である。
【発明を実施するための形態】
【００２１】
以下、本発明の実施例において添付図面を参照して、本発明の実施例における技術的解決手段を明確かつ完全に説明する。説明される実施例は、全ての実施例ではなく、本発明の実施例の単なる一部分であることは明らかである。創造的努力なしに、本発明の実施例に基づいて当業者によって得られる他のすべての実施例は、本発明の保護範囲に属するとされなければならない。
【００２２】
本発明の技術的手段は、例えば、ＧＳＭ（登録商標）、符号分割多元接続（ＣＤＭＡ、Ｃｏｄｅ  Ｄｉｖｉｓｉｏｎ  Ｍｕｌｔｉｐｌｅ  Ａｃｃｅｓｓ）方式、広帯域符号分割多元接続（ＷＣＤＭＡ（登録商標）、Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ）方式、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボルーション（ＬＴＥ、Ｌｏｎｇ  Ｔｅｒｍ  Ｅｖｏｌｕｔｉｏｎ）等といった各種通信システムに適用することが可能である。
【００２３】
ユーザ装置（ＵＥ、Ｕｓｅｒ  Ｅｑｕｉｐｍｅｎｔ）は、携帯端末（Ｍｏｂｉｌｅ  Ｔｅｒｍｉｎａｌ）、携帯ユーザ装置等とも呼ばれてもよく、無線アクセスネットワーク（例えばＲＡＮ、Ｒａｄｉｏ  Ａｃｃｅｓｓ  Ｎｅｔｗｏｒｋ）を通して１つ以上のコアネットワークと通信することができる。ユーザ装置は、携帯電話（またはセルラーフォンとも呼ばれる）および携帯端末を有するコンピュータ等の携帯端末であってもよく、無線アクセスネットワークと音声および／またはデータをやりとりする、携帯型、ポケットサイズ、ハンドヘルド、コンピュータ内蔵、または車載の移動装置であってもよい。
【００２４】
基地局は、ＧＳＭ（登録商標）またはＣＤＭＡの基地局（ＢＴＳ、Ｂａｓｅ  Ｔｒａｎｓｃｅｉｖｅｒ  Ｓｔａｔｉｏｎ）であってもよく、ＷＣＤＭＡ（登録商標）の基地局（ＮｏｄｅＢ）であってもよく、またはＬＴＥのｅｖｏｌｖｅｄ  ｂａｓｅ  ｓｔａｔｉｏｎ（ｅＮＢまたはｅ−ＮｏｄｅＢ、ｅｖｏｌｖｅｄ  Ｎｏｄｅ  Ｂ）であってもよい。本発明において、基地局は限定されない。しかしながら、説明の便宜上、ｅＮＢを以下の実施例を説明するための例する。
【００２５】
図１は、本発明の実施例による、干渉制御方法１００のフローチャートである。図１に示すように、干渉制御方法１００は、以下を含む：
【００２６】
１１０：隣接セルの測定を実行し、測定した複数の隣接セルの中から、信号の送信強度がサービングセルの信号の送信強度よりも大きい、一つ以上の隣接セルを与干渉セルとして選択する。本発明の実施例によると、信号の送信強度は、例えば、基準信号受信電力（Ｒｅｆｅｒｅｎｃｅ  Ｓｉｇｎａｌ  Ｒｅｃｅｉｖｅｄ  Ｐｏｗｅｒ、ＲＳＲＰと略す）および／または基準信号受信品質（Ｒｅｆｅｒｅｎｃｅ  Ｓｉｇｎａｌ  Ｒｅｃｅｉｖｅｄ  Ｑｕａｌｉｔｙ、ＲＳＲＱと略す）である。
【００２７】
１２０：与干渉セルのアンテナポートの数を取得するため、物理報知チャネル（Ｐｈｙｓｉｃａｌ  Ｂｒｏａｄｃａｓｔ  Ｃｈａｎｎｅｌ、ＰＢＣＨと略す）を解析する。
【００２８】
１３０：物理セル識別子（Ｐｈｙｓｉｃａｌ  Ｃｅｌｌ  Ｉｄｅｎｔｉｆｉｅｒ、ＰＣＩと略す）および与干渉セルのアンテナポートの数に従って、与干渉セルのセル参照信号（Ｃｅｌｌ  Ｒｅｆｅｒｅｎｃｅ  Ｓｉｇｎａｌｉｎｇ、ＣＲＳと略す）の位置を取得する。
【００２９】
１４０：ＣＲＳの位置の情報に従って、干渉制御を実行する。例えば、ＣＲＳの位置で取得した信号から、与干渉セルから受信した信号を減算するか、或いはＣＲＳの位置で取得した信号を破棄する。
【００３０】
本発明の実施例によると、ＵＥは、サービングセルの無線信号の測定を実行し、サービングセルの無線信号の品質を監視してもよい。例えば、ＵＥは、チャネル品質インジケータ（Ｃｈａｎｎｅｌ  Ｑｕａｌｉｔｙ  Ｉｎｄｉｃａｔｏｒ、ＣＱＩと略す）の測定を通して、信号対干渉雑音電力比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲと略す）の値を取得してもよく、或いは、ＵＥは、無線リソース管理（Ｒａｄｉｏ  Ｒｅｓｏｕｒｃｅ  Ｍａｎａｇｅｍｅｎｔ、ＲＲＭと略す）を通して、ＲＳＲＱの値を取得してもよい。ＵＥは、ＳＩＮＲ値またはＲＳＲＱ値を、サービング基地局が当該ＵＥに対して送信した閾値Ｔｈｉｃと比較してもよい。ＳＩＮＲまたはＲＳＲＱ値が閾値Ｔｈｉｃよりも小さい場合、そのことは、ＵＥが隣接セルから干渉を受けていることを示し、信号品質が劣化することになるので、干渉制御の実行が必要となる。ＳＩＮＲまたはＲＳＲＱ値が閾値Ｔｈｉｃよりも大きい場合、そのことは、ＵＥが隣接セルから激しくは干渉を受けていないことを示し、干渉制御は実行されなくてもよい。
【００３１】
本発明の実施例によると、ステップ１１０で隣接セルの測定が実行された場合、測定された隣接セルのうちのいずれかの隣接セルは与干渉セルとして選択されてもよく、この場合、当該隣接セルのＲＳＲＰ／ＲＳＲＱとサービングセルのＲＳＲＰ／ＲＳＲＱとの間の差は、閾値Ｔｈａｇ（例えば、６ｄＢ）以上となる。ここで、与干渉セルは、サービングセルのＵＥの信号に対する強い干渉を持つ隣接セルのことを意味する。１つ以上の与干渉セルが選択されてもよい。例えば、隣接セルのＲＳＲＰ／ＲＳＲＱの系列の大きい順に、いくつかの隣接セルが与干渉セルとして選択され、この場合、各隣接セルのＲＳＲＰ／ＲＳＲＱとサービングセルのＲＳＲＰ／ＲＳＲＱとの間の差は、Ｔｈａｇよりも大きい。
【００３２】
本発明の実施例によると、与干渉セルのセル参照信号ＣＲＳの位置は、物理セル識別子ＰＣＩおよび与干渉セルのアンテナポートの数に従って、ステップ１３０において取得される。隣接セルのＰＣＩを取得するために、隣接セルと同期をとる必要がある。これにより、与干渉セルのＰＣＩを同時に取得することが可能となる。与干渉セルのＣＲＳの位置を取得した後、ステップ１４０において、与干渉セルから受信した信号について、干渉除去処理を実行してもよい。
【００３３】
本発明の実施例によると、ステップ１４０において、ＵＥが無線リソースについてデータまたは信号を与干渉セルのＣＲＳの位置において受信した場合、ＵＥは干渉の調整を実施する。例えば、ＵＥは、解析することによって、与干渉セルから送信され、かつＣＲＳの位置において受信された信号を取得し、ＣＲＳの位置において受信した全ての信号（サービングセルから送信された信号および隣接セルから送信された信号）から当該信号を除去する。或いは、与干渉セルからの干渉が非常に強い場合、ＵＥは、ＣＲＳの位置において受信した全ての信号を破棄してもよい。
【００３４】
本発明の実施例において、与干渉セルの特定、すなわち、強い干渉を伴う隣接セルの特定は、主にＵＥ側で実行され、そして、例示的な実施例において、ＵＥの干渉の調整の実行のために、基地局は、個別メッセージまたは別の通知信号を通して、ＵＥに閾値ＴｈａｇおよびＴｈｉｃを事前に送信してもよい。具体的には、システムの報知信号および／またはＲＲＣ個別信号またはＭＡＣ（Ｍｅｄｉｕｍ  Ａｃｃｅｓｓ  Ｃｏｎｔｒｏｌ、）制御信号、またはＰＤＣＣＨ（Ｐｈｙｓｉｃａｌ  Ｄｏｗｎｌｉｎｋ  Ｃｏｎｔｒｏｌ  Ｃｈａｎｎｅｌ）制御信号を用いてもよい。
【００３５】
また、本発明の別の実施例によれば、干渉の調整における与干渉セルの特定は、主に基地局側で実行されてもよい。
【００３６】
図２は、本発明の別の実施例による干渉制御方法２００のフローチャートである。この実施例において、まず、基地局側が与干渉セルを特定し、その後、ＵＥに干渉の調整の実行を指示する。図２に示すように、干渉制御方法２００は、以下を含む：
【００３７】
２１０：基地局は、与干渉セルを特定し、与干渉セルのＰＣＩおよびアンテナポートの数を取得する。
【００３８】
本発明の実施例によると、基地局は、多くの方法により与干渉セルを決定することができる。与干渉セルを決定する方法は：サービングセルのＲＳＲＰ値および隣接セルのＲＳＲＰ値を含む測定報告であって、ＵＥの送信する測定報告を、基地局が受信し、そして、基地局が、サービングセルのＲＳＲＰ値よりも大きなＲＳＲＰ値を伴う、１つ以上の隣接セルを与干渉セルとして決定する。また、上述のように、基地局は、ＲＳＲＱ値によって、与干渉セルを決定してもよい。また、前述の実施例と同様に、与干渉セルは、ＵＥにより送信される測定報告の中の、サービングセルおよび隣接セルのＲＳＲＱ値によって決定されてもよい。
【００３９】
与干渉セルを決定する別の方法は：基地局が、ＯＡＭ（Ｏｐｅｒａｔｉｏｎ、Ａｄｍｉｎｉｓｔｒａｔｉｏｎ  ａｎｄ  Ｍａｉｎｔｅｎａｎｃｅ、ＯＡＭと略す）エンティティの設定する、サービングセルと別の隣接セルとの間の干渉および被干渉関係によって、１つ以上の与干渉隣接セルを与干渉セルとして決定する（強い下りリンクの干渉を被るセルが被干渉セルであり、そして他のセルに干渉を与えるセルが与干渉セルである）ということである。
【００４０】
与干渉セルを決定する別の方法は：受信した負荷表示（Ｌｏａｄ  Ｉｎｄｉｃａｔｉｏｎ）から取得した相対的狭帯域送信電力（Ｒｅｌａｔｉｖｅ  Ｎａｒｒｏｗｂａｎｄ  ＴＸ  Ｐｏｗｅｒ、ＲＮＴＰと略す）が閾値を超える場合、与干渉セルを決定するために、基地局が、サービングセルのＵＥに対する隣接セルの下りリンクの干渉が存在することを知るということである。
【００４１】
２２０：ＵＥに干渉制御メッセージを送信する。ここで、当該干渉制御メッセージは、ＵＥが与干渉セルのＰＣＩおよびアンテナポートの数に従って、与干渉セルのＣＲＳ位置を取得し、当該ＣＲＳ位置の情報に従って干渉制御を実行できるようにするため、ＰＣＩおよび与干渉セルのアンテナポートの数を含む。例えば、ＣＲＳ位置において取得した信号から、与干渉セルから受信した信号を減算する、またはＣＲＳ位置において取得した信号を破棄する。
【００４２】
本発明の実施例によると、ステップ２１０において、ＲＳＲＰ／ＲＳＲＱ値によって与干渉セルが決定される場合、基地局は、１つ以上の与干渉セルを決定するために、隣接セルのＲＳＲＰ／ＲＳＲＱまたはＲＮＴＰ値を大きい順に配列してもよい。前述の実施例における干渉制御方法１００と同様に、基地局は、測定した複数の隣接セルうちのいずれかの隣接セルを与干渉セルとして選択してもよい。ここで、当該選択した隣接セルのＲＳＲＰ／ＲＳＲＱまたはＲＮＴＰ値とサービングセルのＲＳＲＰ／ＲＳＲＱまたはＲＮＴＰ値との間の差は、閾値Ｔｈａｇ（例えば、６ｄＢ）以上である。
【００４３】
与干渉セルを特定した後、ステップ２２０において、ＵＥが干渉の調整を実行できるようにするために、基地局は当該与干渉セルをＵＥに通知してもよい。具体的な干渉の調整機構は、上述の干渉制御方法１００におけるステップ１４０と同様である。つまり、ＵＥが与干渉セルのＣＲＳ位置において無線リソースについてのデータまたは信号を受信した場合、ＵＥは、干渉の調整を実行する。例えば、ＵＥは、解析することにより、与干渉セルから送信され、ＣＲＳ位置において受信された信号を取得し、そしてＣＲＳ位置において受信した全信号（サービングセルから送信された信号および全ての隣接セルからの信号を含む）から当該信号を除外するか、或いは与干渉セルからの干渉が非常に強い場合、ＵＥは、ＣＲＳ位置において受信した全信号を破棄してもよい。
【００４４】
この実施例において、ＵＥ側により、ＲＳＲＰ／ＲＳＲＱ値によって与干渉セルが決定される場合、ＵＥが実行する作業は以下の通りである：
【００４５】
ＵＥは、基地局に測定報告を送信する。測定報告は、サービングセルのＲＳＲＰ／ＲＳＲＱ値および隣接セルのＲＳＲＰ／ＲＳＲＱ値を含み、これにより基地局は、サービングセルのＲＳＲＰ／ＲＳＲＱ値よりもＲＳＲＰ／ＲＳＲＱ値が大きい１つ以上の隣接セルを与干渉セルとして決定し、そして基地局は与干渉セルのＰＣＩおよびアンテナポートの数を取得する。
【００４６】
ＵＥは、基地局の送信する干渉制御メッセージを受信する。ここで、当該干渉制御メッセージは、与干渉セルのＰＣＩおよびアンテナポートの数を含む。
【００４７】
ＵＥは、与干渉セルのＰＣＩおよびアンテナポートの数に従って、与干渉セルのＣＲＳの位置を取得する。
【００４８】
ＵＥは、ＣＲＳの位置の情報に従って、干渉制御を実行する。例えば、ＣＲＳの位置において取得した信号から、与干渉セルから受信した信号を減算するか、或いはＣＲＳの位置において取得した信号を破棄する。
【００４９】
本発明の別の実施例によれば、干渉の調整は、ＵＥと協調する基地局によって実行されてもよい。
【００５０】
図３は、本発明の別の実施例による干渉制御方法３００のフローチャートである。本実施例において、まずＵＥ側で与干渉セルを決定し、その後、基地局側で与干渉セルのＰＣＩおよびアンテナポートの数を取得し、次いで、ＵＥ側が干渉の調整を実行する。図３に示すように、干渉制御方法３００は以下を含む：
【００５１】
３１０：隣接セル測定を実行する。そして、測定した複数の隣接セルの中から、サービングセルの信号送信強度よりも大きな送信強度の１つ以上の隣接セルを与干渉セルとして選択する。
【００５２】
３２０：与干渉セルのアンテナポートの数を取得するために、基地局に要求メッセージを送信する。当該要求メッセージは、与干渉セルのＰＣＩを運ぶ。
【００５３】
３３０：当該要求メッセージに応答して、基地局の送信する与干渉セルについての応答メッセージを受信する。ここで、当該応答メッセージは、与干渉セルのＰＣＩおよび与干渉セルのアンテナポートの数を運ぶ。
【００５４】
３４０：与干渉セルのＰＣＩ及び与干渉セルのアンテナポートの数に従って、与干渉セルのＣＲＳの位置を取得する。
【００５５】
３５０：ＣＲＳの位置の情報に従って、干渉制御を実行する。例えば、ＣＲＳの位置において取得した信号から、与干渉セルから受信した信号を減算するか、またはＣＲＳの位置において取得した信号を破棄する。
【００５６】
図１に示す実施例と同様に、信号送信強度は、ＲＳＲＰまたはＲＳＲＱ値によって表されてもよい。
【００５７】
図１に示す実施例と同様に、図３に示す本発明の実施例によれば、ＵＥはサービングセルの無線信号の測定を実行してもよく、そしてサービングセルの無線リソース信号の品質を監視する。例えば、ＵＥは、ＣＱＩ測定によって、ＳＩＮＲ値を取得してもよく、或いはＵＥは、ＲＲＭ測定によって、ＲＳＲＱ値を取得してもよい。ＵＥは、ＳＩＮＲ値またはＲＳＲＱ値を、サービング基地局がＵＥに対して送信した閾値Ｔｈｉｃと比較してもよい。ＳＩＮＲまたはＲＳＲＱが閾値Ｔｈｉｃよりも小さい場合、そのことはＵＥが隣接セルから干渉を受けていることを示し、信号品質が劣化することになるので、干渉制御の実行が必要となる。ＳＩＮＲまたはＲＳＲＱが閾値Ｔｈｉｃよりも大きい場合、そのことはＵＥが隣接セルによって激しくは干渉されていないことを示すので、干渉制御を実行しなくてもよい。
【００５８】
本発明の実施例によると、ステップ３１０で隣接セルの測定が実行される場合、測定された複数の隣接セルの中からいずれかの隣接セルが与干渉セルとして選択されてもよい。ここで、当該隣接セルのＲＳＲＰ／ＲＳＲＱとサービングセルのＲＳＲＰ／ＲＳＲＱとの間の差は、閾値Ｔｈａｇ（例えば、６ｄＢ）以上である。ここで、与干渉セルは、サービングセルにおけるＵＥの信号に対する強い干渉を持つ隣接セルを示す。１つ以上の与干渉セルを選択してもよい。例えば、大きい順のＲＳＲＰ／ＲＳＲＱの系列に従って、複数の隣接セルが与干渉セルとして選択される。ここで、選択された各隣接セルのＲＳＲＰ／ＲＳＲＱとサービングセルのＲＳＲＰ／ＲＳＲＱとの間の差は、Ｔｈａｇより大きい。
【００５９】
図１に示す実施例と異なり、図３に示す実施例によれば、ステップ３２０において、与干渉セルのアンテナポートの数を取得するために、ＵＥは与干渉セルのＰＣＩに従って、基地局に要求メッセージを送信する。その後、ステップ３３０において、ＵＥは、当該要求メッセージに応答して基地局が送信する応答メッセージを受信し、これにより与干渉セルのアンテナポートの数は、ＵＥに送信される。与干渉セルのＣＲＳの位置を取得した後、例えば、ＵＥは、ステップ３４０において、与干渉セルのＰＣＩおよびアンテナポートの数に従って、与干渉セルのＣＲＳの位置を取得してもよい。その後、ステップ３５０において、与干渉セルから受信した信号について、干渉除去処理が実行される。
【００６０】
本発明の実施例によると、ステップ３５０において、ＵＥが、与干渉セルのＣＲＳの位置において無線リソースについてのデータまたは信号を受信した場合、当該ＵＥは、干渉の調整を実行する。例えば、ＵＥは、解析することにより、与干渉セルから送信され、ＣＲＳの位置において受信される信号を取得し、ＣＲＳの位置において受信した全ての信号（サービングセルから送信された信号および全ての隣接セルからの信号を含む）から、当該信号を除去するか、または与干渉セルからの干渉が非常に強い場合、ＵＥは、ＣＲＳの位置において受信した全ての信号を破棄してもよい。
【００６１】
図３に示す本発明の実施例において、与干渉セル、すなわち、強い干渉を伴う隣接セルの特定は、基地局側と協調するＵＥ側によって実行され、そして例示的な実施例において、ＵＥによる干渉の調整の実行のために、基地局は、個別メッセージ又は他の通知信号により、閾値ＴｈａｇおよびＴｈｉｃをＵＥに事前に送信してもよい。具体的には、システム報知メッセージおよび／またはＲＲＣ個別信号またはＭＡＣ（Ｍｅｄｉｕｍ  Ａｃｃｅｓｓ  Ｃｏｎｔｒｏｌ、ｍｅｄｉｕｍ  ａｃｃｅｓｓ  ｃｏｎｔｒｏｌ）制御信号、またはＰＤＣＣＨ（Ｐｈｙｓｉｃａｌ  Ｄｏｗｎｌｉｎｋ  Ｃｏｎｔｒｏｌ  Ｃｈａｎｎｅｌ）制御信号を用いてもよい。
【００６２】
ＵＥは、隣接セルからの信号により、主にサービングセルのＣＲＳの位置と当該隣接セルのＣＲＳの位置との間の競合に起因する干渉を受ける。チャネル状態情報参照信号（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌｉｎｇ、ＣＳＩ−ＲＳと略す）が存在する状況において、サービングセルのＣＳＩ−ＲＳ構成情報が隣接セルのＣＳＩ−ＲＳ構成情報と競合する場合、サービングセルの中のＵＥは、干渉を受けるかもしれない。従って、本発明の別の実施例によれば、ｅＮＢ１のＣＲＳ／ＣＳＩ−ＲＳとｅＮＢ２のＣＲＳ／ＣＳＩ−ＲＳとの間の競合を回避するために、サービングセルの中の基地局ｅＮＢ１と隣接セルの中の基地局ｅＮＢ２との間において調整を実行することを考慮してもよい。従って、サービングセルの中のＵＥに対する干渉は、低減され、また場合によっては除去されることになる。
【００６３】
図４は、本発明の別の実施例に従う干渉制御方法４００のフローチャートである。図４に示す通り、干渉制御方法４００は以下を含む：
【００６４】
４１０：第１の基地局ｅＮＢ１は、第２の基地局ｅＮＢ２に、Ｘ２設定要求メッセージを送信する。ここで、Ｘ２設定要求メッセージは、第１の基地局ｅＮＢ１のサービングセルのＰＣＩおよびアンテナポートの数を運び、および／または第１の基地局のＣＳＩ−ＲＳ情報を運ぶ。これにより、第２の基地局ｅＮＢ２は、第１の基地局ｅＮＢ１のＰＣＩ及びアンテナポートの数に従って、第１の基地局のＣＲＳの位置を取得し、そして第２の基地局ｅＮＢ２の中のサービングセルのＣＲＳの位置が、第１の基地局ｅＮＢ１のＣＲＳの位置と競合するか否かを判定し、および／または第２の基地局ｅＮＢ２のＣＳＩ−ＲＳが第１の基地局ｅＮＢ１のＣＳＩ−ＲＳと競合するか否かを第１の基地局ｅＮＢ１のＣＳＩ−ＲＳに従って判定する。
【００６５】
４２０：判定された結果がＣＲＳの位置の競合および／またはＣＳＩ−ＲＳの競合が存在するということであった場合、第１の基地局ｅＮＢ１は、第１の基地局ｅＮＢ１のサービングセルのＰＣＩを変更する、および／または第１の基地局ｅＮＢ１のＣＳＩ−ＲＳを変更する。
【００６６】
ｅＮＢ１がｅＮＢ１のサービングセルのＰＣＩを変更する場合、ｅＮＢ１のＣＲＳの位置を変更してもよい。従って、ｅＮＢ１のＣＲＳの位置とｅＮＢ２のＣＲＳの位置との間の競合は、もはや存在しない。
【００６７】
本発明の実施例によると、ｅＮＢ１によるｅＮＢ１のＰＣＩおよび／またはＣＳＩ−ＲＳ構成情報の変更は、ｅＮＢ１とｅＮＢ２との間のネゴシエーションによって実行されてもよい。具体的な実行処理は、以下の通り：
【００６８】
第１の基地局ｅＮＢ１は、第２の基地局ｅＮＢ２の送信するＸ２設定応答メッセージを受信する。ここで、当該Ｘ２設定応答メッセージは、第１の基地局ｅＮＢ１が第１の基地局ｅＮＢ１のサービングセルのＰＣＩを変更すること、および／または第１の基地局のＣＳＩ−ＲＳを変更することを要求する要求情報を運ぶ。
【００６９】
第１の基地局ｅＮＢ１は、第１の基地局ｅＮＢ１のサービングセルのＰＣＩを変更するための、および／または第１の基地局ｅＮＢ１のＣＳＩ−ＲＳを変更するための要求情報に従って、第１の基地局ｅＮＢ１のサービングセルのＰＣＩを変更する、および／または第１の基地局のＣＳＩ−ＲＳを変更する。
【００７０】
第１の基地局ｅＮＢ１は、設定更新メッセージを第２の基地局ｅＮＢ２に送信する。ここで、当該設定更新メッセージは、第１の基地局ｅＮＢ１のサービングセルの変更されたＰＣＩ、および／または第１の基地局ｅＮＢ１の変更されたＣＳＩ−ＲＳを運ぶ。
【００７１】
また、本発明の別の実施例によれば、ｅＮＢ１は、ｅＮＢ２の要求に従って、ｅＮＢ１のＣＲＳの位置および／またはＣＳＩ−ＲＳをずらしてもよい。具体的な実行手順は、以下の通りである：
【００７２】
第１の基地局ｅＮＢ１は、第２の基地局ｅＮＢ２の送信する時間オフセットメッセージを受信する。ここで、当該時間オフセットメッセージは、時間シンボルオフセット値またはサブフレームオフセット値を運ぶ。
【００７３】
第１の基地局ｅＮＢ１は、時間シンボルオフセットメッセージの中の時間シンボルオフセット値に従って、第１の基地局のＣＲＳ、および／または第１の基地局ｅＮＢ１のＣＳＩ−ＲＳをずらす。
【００７４】
また、本発明の別の実施例によれば、ｅＮＢ１のＣＲＳおよび／またはＣＳＩ−ＲＳの競合を避けるために、ｅＮＢ２は、ｅＮＢ２のサービングセルのＰＣＩおよび／またはＣＳＩ−ＲＳ設定を変更してもよい。ｅＮＢ２から見て、主にｅＮＢ２によって実行される作業は以下の通りである：
【００７５】
第２の基地局ｅＮＢ２は、第１の基地局ｅＮＢ１の送信するＸ２設定要求メッセージを受信する。ここで、当該Ｘ２設定要求メッセージは、第１の基地局ｅＮＢ１のＰＣＩおよびアンテナポートの数、および／または第１の基地局ｅＮＢ１のＣＳＩ−ＲＳ情報を運ぶ。
【００７６】
第２の基地局ｅＮＢ２は、第１の基地局ｅＮＢ１のサービングセルのＰＣＩおよびアンテナポートの数に従って、第１の基地局ｅＮＢ１のＣＲＳの位置を取得し、第２の基地局ｅＮＢ２におけるサービングセルのＣＲＳの位置が、第１の基地局ｅＮＢ１のＣＲＳの位置と競合するか否かを判定する、および／または第２の基地局ｅＮＢ１のＣＳＩ−ＲＳに従って、第２の基地局ｅＮＢ２のＣＳＩ−ＲＳが、第１の基地局ｅＮＢ１のＣＳＩ−ＲＳと競合するか否かを判定する。
【００７７】
判定の結果がＣＳＲ位置の競合および／またはＣＳＩ−ＲＳの競合が存在するというものであった場合、第２の基地局ｅＮＢ２は、第２の基地局ｅＮＢ２のサービングセルのＰＣＩを変更する、および／または第２の基地局のＣＳＩ−ＲＳを変更する。
【００７８】
また、本発明の別の実施例によると、ＣＳＲの位置の競合および／またはＣＳＩ−ＲＳの位置の競合が存在する場合、第２の基地局ｅＮＢ２は、第２の基地局ｅＮＢ２のサービングセルのＣＳＲおよび／またはＣＳＩ−ＲＳ構成をずらしてもよい。ここで、当該ずれは、シンボルオフセットまたはサブフレームオフセットであり、そして、ＣＲＳの競合／ＣＳＩ−ＲＳの競合を避けるために、第１の基地局に通知される。
【００７９】
本発明の実施例によれば、隣接セルの信号によるサービングセルの中のユーザ装置に対する干渉が低減され、当該サービングセルの中のユーザ装置の通信品質が向上され、かつマクロセルに対して、いくつかのホットスポットセルは、良好にサービス負荷を負担する。
【００８０】
本発明の実施例によれば、本発明の実施例の干渉制御方法を実行するためのユーザ装置および基地局がさらに提供される。また、本発明の実施例の方法における特徴は、本発明の実施例におけるユーザ装置および基地局にも適用可能であることに注意すべきである。
【００８１】
図５は、本発明の実施例に従うユーザ装置５００の概略構成図である。図５に示す通り、ユーザ装置５００は：
隣接セル測定を実行し、かつ信号送信強度がサービングセルの信号送信強度よりも強い１つ以上の隣接セルを、測定された複数のセルから、与干渉セルとして選択する測定部５１０；
与干渉セルのアンテナポートの数を取得するために、与干渉セルの物理報知チャネルＰＢＣＨを解析する解析部５２０；
与干渉セルのセル参照信号ＣＲＳの位置および与干渉セルのアンテナポートの数を取得するＣＲＳ位置取得部５３０；および
例えば、ＣＲＳの位置において取得した信号から、与干渉セルから受信した信号を減算する、またはＣＲＳの位置において取得した信号を破棄するといったように、ＣＲＳの位置の情報に従って、干渉制御を実行する干渉制御部５４０を備える。
【００８２】
本発明の実施例によると、信号送信強度は、ＲＳＲＰまたはＲＳＲＱ値によって表されてもよい。
【００８３】
本発明の実施例によると、測定部５１０は、隣接セルの測定を実行する前に、サービングセルの信号品質の測定をさらに実行する。測定値が第１の閾値より小さな値に減少する場合、これによりサービングセルの信号品質を表す測定値を取得し、そして隣接セルの測定を実行する。
【００８４】
本発明の実施例によると、測定部５１０により実行されるサービングセルの信号品質の測定は、チャネル品質インデックスＣＱＩの測定を含み、かつ測定値は信号対干渉雑音電力比ＳＩＮＲ値である。或いは測定部５１０により実行されるサービングセルの信号品質測定は、無線リソース管理ＲＲＭの測定を含み、かつ当該測定値は参照信号受信品質ＲＳＲＱ値である。
【００８５】
本発明の実施例によると、隣接セルの測定の際に、測定部５１０は、複数の測定された隣接セルの中から１つ以上の隣接セルを与干渉セルとして選択する。ここで、当該隣接セルのＲＳＲＰとサービングセルのＲＳＲＰとの間の差は、第２の閾値である。すなわち、Ｔｈａｇ（例えば、６ｄＢ）である。
【００８６】
本発明の実施例によると、隣接セルの測定の際に、測定部５１０は、測定された複数の隣接セルの中から、一つ以上の隣接セルを与干渉セルとして選択する。ここで、当該隣接セルのＲＳＲＱとサービングセルのＲＳＲＱとの間の差は、第２の閾値である。即ち、Ｔｈａｇ（例えば、６ｄＢ）である。
【００８７】
本発明の実施例によると、図６に示すように、ユーザ装置５００は、さらに、基地局の送信する、第１の閾値および第２の閾値を含む干渉制御メッセージを受信する受信部５５０を備える。
【００８８】
図７は、本発明の実施例に従う基地局７００の概略構成図である。図６に示すように、基地局６００は：
与干渉セルを決定し、かつ与干渉セルのＰＣＩおよびアンテナポートの数を取得する決定部７１０；および
干渉制御メッセージをＵＥに送信する送信部７２０を備える。
ここで、当該干渉制御メッセージは、与干渉セルのＰＣＩおよびアンテナポートの数を含む。これによりＵＥは、与干渉セルのＰＣＩおよびアンテナポートの数に従って、与干渉セルのＣＲＳの位置を取得し、そして、例えば、ＣＲＳの位置において取得した信号から、与干渉セルから受信した信号を減算する、或いはＣＲＳの位置において取得した信号を破棄するといった、ＣＲＳ位置の情報に従った干渉制御を実行する。
【００８９】
本発明の実施例によると、決定部７１０は、ユーザ装置ＵＥの送信する、サービングセルのＲＳＲＰ値および隣接セルのＲＳＲＰ値を含む測定報告を受信し、ＲＳＲＰ値がサービングセルのＲＳＲＰ値よりも大きい１つ以上の隣接セルを与干渉セルとして決定し、かつ与干渉セルのＰＣＩおよびアンテナポートの数を取得する。
【００９０】
本発明の実施例によると、決定部７１０は、ユーザ装置ＵＥの送信する、サービングセルのＲＳＲＱ値および隣接セルのＲＳＲＱ値を含む測定報告を受信し、ＲＳＲＱ値がサービングセルのＲＳＲＱ値よりも大きい１つ以上の隣接セルを与干渉セルとして決定し、かつ与干渉セルのＰＣＩおよびアンテナポートの数を取得する。
【００９１】
本発明の実施例によると、決定部７１０は、ＯＡＭエンティティの設定するサービングセルと別の隣接セルとの間の与干渉および被干渉関係によって、１つ以上の与干渉隣接セルを与干渉セルとして決定する。
【００９２】
本発明の実施例によると、決定部７１０は、与干渉セルを決定するために、受信した負荷表示から取得したＲＮＴＰが閾値を超えていることによって、隣接セルによるサービングセルのＵＥに対する下りリンクの干渉が存在することを知る。
【００９３】
本発明の実施例によると、決定部７１０は、隣接セルのＲＳＲＰ値とサービングセルのＲＳＲＰ値との間の差が第２の閾値、つまり、Ｔｈａｇ（例えば６ｄＢ）である隣接セルを与干渉セルとして決定する。
【００９４】
また、本発明の実施例によると、決定部７１０は、隣接セルのＲＳＲＱ値とサービングセルのＲＳＲＱ値との間の差が第２の閾値である、つまり、Ｔｈａｇ（例えば、６ｄＢ）である隣接セルを与干渉セルとして決定してもよい。
【００９５】
図８は、本発明の実施例に従う、別のユーザ装置８００の概略構成図である。図８に示すように、ユーザ装置８００は：
基地局に測定報告を送信する送信部８１０であって、当該測定報告は、基地局がＲＳＲＰ値がサービングセルのＲＳＲＰ値よりも大きい１つ以上の隣接セルを与干渉セルと決定し、かつ基地局が当該与干渉セルのＰＣＩおよびアンテナポートの数を取得できるように、サービングセルのＲＳＲＰ値および隣接セルのＲＳＲＰ値を含む、送信部８１０；
基地局の送信する、ＰＣＩおよび与干渉セルのアンテナポートの数を含む干渉制御メッセージを受信する受信部８２０；
与干渉セルのＰＣＩおよびアンテナポート番号に従って、与干渉セルのＣＲＳの位置を取得するＣＲＳ位置取得部８３０；および
例えば、ＣＲＳの位置において取得した信号から、与干渉セルから受信した信号を減算する、またはＣＲＳの位置において受信した信号を破棄するといったように、ＣＲＳの位置の情報に従って、干渉制御を実行する干渉制御部８４０を備える。
【００９６】
また、本発明の実施例によると、送信部８１０により基地局に送信される測定報告は、サービングセルのＲＳＲＱ値および隣接セルのＲＳＲＱ値を含んでもよい。これにより、基地局は、サービングセルのＲＳＲＱ値よりもＲＳＲＱ値が大きい１つ以上の隣接セルを与干渉セルと決定し、かつ基地局は与干渉セルのＰＣＩおよびアンテナポートの数を取得する。
【００９７】
本発明の実施例によると、送信部８１０は、基地局に測定報告を送信し、これにより基地局は隣接セルを与干渉セルとして決定する。ここで、当該隣接セルのＲＳＲＰ値とサービングセルのＲＳＲＰ値との間の差は、第２の閾値、すなわちＴｈａｇ（例えば、６ｄＢ）である。
【００９８】
本発明の実施例によると、送信部８１０は、基地局に測定報告を送信し、これにより基地局は、隣接セルを与干渉セルとして決定する。ここで、当該隣接セルのＲＳＲＱ値とサービングセルのＲＳＲＱ値との間の差は、第２の閾値、すなわち、Ｔｈａｇ（例えば、６ｄＢ）である。
【００９９】
図９は、本発明の実施例に従う、別のユーザ装置の概略構成図である。図９に示すように、ユーザ装置９００は：
隣接セル測定を実行し、信号送信強度がサービングセルの信号送信強度よりも大きい１つ以上の隣接セルを与干渉セルとして決定する測定部９１０；
与干渉セルのアンテナポートの数を取得するために、要求メッセージであって、与干渉セルのＰＣＩを運ぶ、要求メッセージを、基地局に送信する送信部９２０；
要求メッセージに応答して基地局の送信する応答メッセージであって、与干渉セルのＰＣＩおよび与干渉セルのアンテナポートの数を運ぶ、応答メッセージを受信する受信部９３０；
与干渉セルのＰＣＩおよび与干渉セルのアンテナポートの数に従って、与干渉セルのセル参照信号ＣＲＳの位置を取得するＣＲＳ位置取得部９４０；および
例えば、ＣＲＳの位置において取得した信号から、与干渉セルから受信した信号を減算する、またはＣＲＳの位置において取得した信号を破棄するといったように、ＣＲＳの位置の情報に従って、干渉制御を実行する干渉制御部９５０を備える。
【０１００】
本発明の実施例によれば、信号送信強度は、ＲＳＲＰまたはＲＳＲＱによって表されてもよい。
【０１０１】
図５に示すユーザ装置５００と同様に、本発明の実施例によれば、隣接セルの測定を実行する前に、測定部９１０はさらに、サービングセルの信号品質を表す測定値を取得するために、サービングセルの信号品質の測定を実行し、当該測定値が第１の閾値よりも小さい値に減少した場合、隣接セルの測定を実行する。
【０１０２】
図５に示すユーザ装置５００と同様に、本発明の実施例によれば、測定部９１０の実行するサービングセルの信号品質の測定は、チャネル品質インデックスＣＱＩの測定を含み、かつ測定値は、信号対干渉雑音電力比ＳＩＮＲ値である。或いは、測定部の実行するサービングセルの信号品質の測定は、無線リソース管理ＲＲＭの測定を含み、かつ測定値は参照信号受信品質ＲＳＲＱ値である。
【０１０３】
図５に示すユーザ装置５００と同様に、本発明の実施例によると、隣接セルの測定の際に、測定部９１０は、測定された複数のセルの中から１つ以上の隣接セルを与干渉セルとして選択する。ここで、当該隣接セルのＲＳＲＰとサービングセルのＲＳＲＰとの間の差は、第２の閾値である。
【０１０４】
図５に示すユーザ装置５００と同様に、本発明の実施例によると、隣接セルの測定の際に、測定部９１０は、測定された複数のセルの中から１つ以上の隣接セルを与干渉セルとして選択する。ここで、当該隣接セルのＲＳＲＱとサービングセルのＲＳＲＱとの間の差は、第２の閾値である。
【０１０５】
本発明の実施例によると、受信部９３０は、基地局の送信する、第１の閾値および第２の閾値を含む干渉制御メッセージをさらに受信する。
【０１０６】
図１０は、本発明の実施例に従う、別の基地局１０００の概略構成図である。基地局１０００は、本発明の前述の実施例における方法を実行するために、ｅＮＢ１として使用することができる。図１０に示すように、基地局１０００は：
第２の基地局が、基地局１０００のサービングセルのＰＣＩおよびアンテナポートの数に従って、基地局１０００のＣＲＳの位置を取得し、第２の基地局におけるサービングセルのＣＲＳの位置が基地局１０００のＣＲＳの位置と競合するか否かを判定し、および／または基地局１０００のＣＳＩ−ＲＳに従って、第２の基地局のＣＳＩ−ＲＳが基地局１０００のＣＳＩ−ＲＳと競合するか否かを判定するために、基地局１０００のサービングセルのＰＣＩおよびアンテナポートの数を運ぶ、および／または基地局１０００のＣＳＩ−ＲＳ情報を運ぶ、Ｘ２設定要求メッセージを基地局に送信するＸ２要求部１０１０；および
判定結果がＣＲＳ位置の競合および／またはＣＳＩ−ＲＳの競合が存在するというものであった場合、基地局１０００のサービングセルのＰＣＩを変更する、および／または基地局のＣＳＩ−ＲＳを変更する制御部１０２０を備える。
【０１０７】
本発明の実施例によると、図１１に示すように、基地局１０００は、さらに、
第２の基地局の送信するＸ２設定応答メッセージであって、基地局１０００のサービングセルのＰＣＩの変更、および／または基地局１０００のＣＳＩ−ＲＳの変更を基地局１０００に要求するための情報を運ぶ、Ｘ２設定応答メッセージを受信するＸ２応答部１０３０を備え；
ここで、制御部１０２０は、サービングセルのＰＣＩを変更するため、および／または基地局１０００のＣＳＩ−ＲＳを変更するための要求情報に従って、基地局１０００のサービングセルのＰＣＩを変更し、および／または基地局１０００のＣＳＩ−ＲＳを変更し；および
第２の基地局に、設定更新メッセージであって、基地局１０００のサービングセルの変更されたＰＣＩ、および／または基地局１０００の変更されたＣＳＩ−ＲＳを運ぶ、設定更新メッセージを送信する送信部１０４０を備える。
【０１０８】
本発明の別の実施例によれば、図１２に示すように、図１１に示す実施例と異なり、基地局１０００は、
第２の基地局の送信する時間シンボルオフセットメッセージであって、時間シンボルオフセット値を運ぶ、時間シンボルオフセットメッセージを受信するオフセット部を備えてもよく、
ここで、制御部１０２０は、時間シンボルオフセットメッセージの中の時間シンボルオフセット値に従って、基地局１０００のサービングセルのＰＣＩをずらし、および／または基地局１０００のＣＳＩ−ＲＳをずらす。
【０１０９】
図１３は、本発明の実施例に従う、別の基地局１３００の概略構成図である。基地局１３００は、本発明の前述の実施例における方法を実行するためのｅＮＢ２として使用することができる。図１３に示すように、基地局１３００は、
第１の基地局の送信するＸ２設定要求メッセージであって、第１の基地局のサービングセルのＰＣＩおよびアンテナポートの数を運ぶ、および／または第１の基地局のＣＳＩ−ＲＳ情報を運ぶ、Ｘ２設定要求メッセージを受信する受信部１３１０；
第１の基地局のサービングセルのＰＣＩおよびアンテナポートの数に従って、第１の基地局のＣＲＳの位置を取得し、かつ第１の基地局のＣＳＩ−ＲＳに従って、基地局１３００におけるサービングセルのＣＲＳの位置が第１の基地局のＣＲＳの位置と競合するか否かを判定し、基地局１３００のＣＳＩ−ＲＳが第１の基地局のＣＳＩ−ＲＳと競合するか否かを判定する競合判定部１３２０；および
ＣＲＳの位置の競合、および／またはＣＳＩ−ＲＳの競合が存在するという判定結果であった場合に、基地局１３００のサービングセルのＰＣＩを変更し、および／または基地局のＣＳＩ−ＲＳを変更する制御部１３３０を備える。
【０１１０】
当業者は、ここに開示される実施例に記述される例と組み合わせて、構成部品およびアルゴリズムステップを電子的なハードウェア、またはコンピュータソフトウェアおよび電子的なハードウェアの組合せにより実施できることを理解するであろう。機能がハードウェアにより実行されるか、またはソフトウェアにより実行されるかどうかは、特定のアプリケーションおよび技術的解決手段の設計制約条件に依存する。当業者は、特定のアプリケーションそれぞれに対して、説明された機能を実装するために異なる方法を用いるかもしれないが、そのような実装は、本発明の範囲を超えているとみなされるべきではない。
【０１１１】
説明の便宜上および説明の簡潔性のため、前述のシステム、装置、および構成部品の具体的な作動プロセスについて、方法の実施例における対応するプロセスを参照してもよく、本明細書には詳細は詳しく説明されていないということを、当業者は明確に理解するであろう。
【０１１２】
本出願において提供されるいくつかの実施例において、開示されるシステム、装置、および方法は、他の方法で実装されてもよいことが理解されるべきである。例えば、説明した装置の実施例は、単なる例示である。例えば、構成部品の区分は、単なる論理的な機能の区分であり、実際の実装においては、別の区分であってもよい。例えば、複数の構成部品または構成要素を組み合わせるか、或いは別のシステムに統合してもよく、またはいくつかの特徴については無視するか、或いは実行しなくてもよい。また、示されたまたは論じられた、相互結合または直接結合または通信接続は、何らかのインターフェースによって実施されてもよい。装置間または構成部品間の間接的結合または通信接続は、電子的な型式、機械的な型式、またはその他の型式で実施されてもよい。
【０１１３】
別個の部品として記載される構成部品は、物理的に分離していてもよく、または物理的に分離していなくてもよく、構成部品として表示される構成部品は、物理的な構成部品であってもよく、または物理的な構成部品でなくてもよい。ここで、物理的な構成部品は、一つの位置に配置されてもよく、或いは複数のネットワーク構成要素に分散されてもよい。実施例の解決手段の目的を実現するための実際の必要に応じて、複数の構成部品のうちの一部分またはその全てを選択してもよい。
【０１１４】
また、本発明の各実施例に従う、各種の機能的構成部品は、１つの処理部に統合されてもよく、または物理的に別個の構成部品としてもよい。或いは、２つ以上の構成部品を一つの構成部品に統合してもよい。
【０１１５】
機能がソフトウェア機能部の型式で実施され、販売され、かつ独立した製品として使用される場合、当該機能をコンピュータ可読記憶媒体に記憶してもよい。そのような理解に基づき、本発明の技術的解決手段を本質的に、または従来技術に寄与する一部分、または技術的解決手段の一部分をソフトウェア製品の型式で実施してもよい。コンピュータソフトウェア製品は、記憶媒体に記憶され、かつコンピュータ装置（パーソナルコンピュータ、サーバ、またはネットワーク装置であってもよい）に本発明の実施例において説明される方法の全てのステップまたはステップの一部分を実行するよう指示するための、いくつかの指示を含む。記憶媒体は、ＵＳＢフラッシュドライブ、携帯型ハードディスク、読み取り専用メモリ（ＲＯＭ、Ｒｅａｄ−ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスク等の、プログラムコードを記憶可能な任意の媒体を含む。
【０１１６】
以上の説明は、単に本発明の特定のいくつかの実施例についてのものであり、本発明の保護範囲を限定するものではない。本発明の技術的範囲内で当業者によって行われるいかなる変形および置換も、本発明の保護範囲に属さなければならない。従って、本発明の範囲は、添付の特許請求の範囲に従うものとしなければならない。
【０１１７】
[関連出願の相互参照]
本出願は、２０１１年９月２６日に中国特許庁に出願された「ＩＮＴＥＲＦＥＲＥＮＣＥ  ＣＯＮＴＲＯＬ  ＡＮＤ  ＤＥＶＩＣＥ」と題する中国特許出願第２０１１１０２８７９３９．７の優先権を主張し、参照することにより、その全内容をここに援用する。
【図１】
0005837207.tif 000002
【図２】
0005837207.tif 000003
【図３】
0005837207.tif 000004
【図４】
0005837207.tif 000005
【図５】
0005837207.tif 000006
【図６】
0005837207.tif 000007
【図７】
0005837207.tif 000008
【図８】
0005837207.tif 000009
【図９】
0005837207.tif 000010
【図１０】
0005837207.tif 000011
【図１１】
0005837207.tif 000012
【図１２】
0005837207.tif 000013
【図１３】
0005837207.tif 000014